(57)【特許請求の範囲】
【請求項１】
避難誘導のための表示板を照明する光源と；
外部電源から電力が供給される正常時に、前記外部電源から供給される電力を用いて前記光源を点灯させる正常時点灯手段と；
前記外部電源から電力が供給されない非常時に、バッテリから供給される電力を用いて前記光源を点灯させる非常時点灯手段と；
前記非常時点灯手段により前記光源を点灯させる上での障害を検出する検出手段と；
前記検出手段により前記障害が検出されたことを報知するために予め定められた発光状態で前記光源を発光させるように前記正常時点灯手段を制御する制御手段と；
を具備し、
前記予め定められた発光状態で前記光源が発光する状態の継続時間が予め定めた時間以上となった場合に、正常時であれば、前記制御手段は、前記光源を消灯するように前記正常時点灯手段を制御し、非常時であれば、前記非常時点灯手段は、前記光源を点灯させる；
ことを特徴とする非常用点灯装置。
【請求項２】
前記制御手段は、前記障害が検出されていない場合は前記光源の発光強度の経時変化を抑えるように前記正常時点灯手段を動作させ、前記障害が検出されている場合は前記光源の発光強度の経時変化を生じさせるように前記正常時点灯手段を動作させる；
ことを特徴とする請求項１に記載の非常用点灯装置。
【請求項３】
前記制御手段は、前記障害が検出されていない場合は前記光源の発光強度を予め定められた第１の強度とするように前記正常時点灯手段を動作させ、前記障害が検出されている場合は前記光源を前記第１の強度で点滅させるように前記正常時点灯手段を動作させる；ことを特徴とする請求項２に記載の非常用点灯装置。
【請求項４】
前記制御手段は、前記障害が検出されていない場合は前記光源の発光強度を予め定められた第１の強度とするように前記正常時点灯手段を動作させ、前記障害が検出されている場合は前記光源を前記第１の強度及び前記第１の強度とは異なる第２の強度で交互に点灯させるように前記正常時点灯手段を動作させる；
ことを特徴とする請求項２に記載の非常用点灯装置。
【請求項５】
前記制御手段は、前記障害が検出されていない場合は前記光源の発光強度を予め定められた第１の強度とするように前記正常時点灯手段を動作させ、前記障害が検出されている場合は前記光源を前記第１の強度とは異なる第２の強度とするように前記正常時点灯手段を動作させる；
ことを特徴とする請求項１に記載の非常用点灯装置。
【発明の詳細な説明】
【技術分野】
【０００１】
本発明の実施形態は、非常用点灯装置に関する。
【背景技術】
【０００２】
非常時における避難誘導のために建築物などに設置される非常用点灯装置は、災害発生時等の発生頻度の低い非常時において正常に機能できなければならない。
そこで非常用点灯装置は、点検機能を備える。そして、非常用点灯装置の本体下面等に設けたモニタ用のランプの点灯状態により、点検結果を報知している。
【０００３】
ところが、モニタ用のランプは、点検作業者が意識的に確認することを前提として設けられている。このため、非常用点灯装置に何らかの不具合が生じていることがモニタ用のランプなどにより報知されている場合であっても、当該報知に誰も気付かない恐れがあった。
【先行技術文献】
【特許文献】
【０００４】
【特許文献１】特開２０１０−１２９２０９号公報
【発明の概要】
【発明が解決しようとする課題】
【０００５】
本発明が解決しようとする課題は、非常用点灯装置の不具合が長時間に渡って放置されてしまうことを防止できる非常用点灯装置を提供することである。
【課題を解決するための手段】
【０００６】
実施形態の非常用点灯装置は、光源、正常時点灯手段、非常時点灯手段、検出手段及び制御手段を備える。光源は、避難誘導のための表示板を照明する。正常時点灯手段は、外部電源から電力が供給される正常時に、外部電源から供給される電力を用いて光源を点灯させる。非常時点灯手段は、外部電源から電力が供給されない非常時に、バッテリから供給される電力を用いて光源を点灯させる。検出手段は、非常時点灯手段により光源を点灯させる上での障害を検出する。制御手段は、検出手段により障害が検出されたことを報知するために予め定められた発光状態で前記光源を発光させるように前記正常時点灯手段を制御する。
【発明の効果】
【０００７】
本発明によれば、非常用点灯装置に不具合が生じていることを周囲の人に的確に認識させることができ、これにより当該不具合が長時間に渡って放置されてしまうことを防止できる。
【図面の簡単な説明】
【０００８】
【図１】一実施形態に係る非常用点灯装置の分解斜視図。
【図２】図１に示す非常用点灯装置の要部の電気回路構成を示す図。
【図３】図２に示すコントローラによる第１の制御処理のフローチャート。
【図４】図２に示すコントローラによる第１の制御処理のフローチャート。
【図５】図１，２に示すＬＥＤのお知らせ点灯における発光強度の時間変化の例を示した図。
【図６】図１，２に示すＬＥＤのお知らせ点灯における発光強度の時間変化の例を示した図。
【図７】図１，２に示すＬＥＤのお知らせ点灯における発光強度の時間変化の例を示した図。
【図８】実際の使用状況における第１の制御処理による図１，２中のＬＥＤの点灯状態の遷移の一例を示す図。
【図９】図２に示すコントローラによる第２の制御処理のフローチャート。
【図１０】図２に示すコントローラによる第３の制御処理のフローチャート。
【発明を実施するための形態】
【０００９】
以下、実施の形態について図面を用いて説明する。
【００１０】
図１は本実施形態に係る非常用点灯装置１の分解斜視図である。なお図１は、非常用点灯装置１の主要な構成要素を表している。そして図１は、各構成要素の構造の細部の図示を省略している。
【００１１】
非常用点灯装置１は、本体１０、表示体２０、光源ユニット３０及びバッテリ４０を含む。
本体１０は、筐体１１、回路カバー１２、端子台１３、点検スイッチ１４、モニタランプ１５，１６，１７、発光素子１８及び受光素子１９を含む。
筐体１１は、一面を開口した平たい箱状をなす。回路カバー１２は、筐体１１の内部に配置されて、筐体１１に固定される。回路カバー１２は、その内部に電気回路を収容し、当該電気回路を保護する。回路カバー１２は、保守作業者などにより開放することが可能である。端子台１３は、商用電源等の外部電源に接続するための電源線を物理的に保持するとともに、当該電源線を回路カバー１２の内部に収容された電気回路に電気的に接続する。点検スイッチ１４、モニタランプ１５，１６，１７、発光素子１８及び受光素子１９は、いずれも筐体１１の下面１１ａに形成された貫通孔に面する状態で筐体１１の内部に固定されている。点検スイッチ１４は、後述する点検動作の開始指示のための押しボタンスイッチである。モニタランプ１５は、バッテリ４０の状態を案内するためのランプである。モニタランプ１５としては、例えば緑色ＬＥＤ（light emitting diode）が使用される。モニタランプ１６は、光源ユニット３０の状態を案内するためのランプである。モニタランプ１６としては、例えば赤色ＬＥＤが使用される。モニタランプ１７は、点検動作の実行状態を案内するためのランプである。モニタランプ１７としては、例えば橙色ＬＥＤが使用される。発光素子１８は、図示しないリモートコントローラに情報を伝送するための赤外光を発光する。受光素子１９は、上記リモートコントローラが送信する赤外光を受光する。なお、筐体１１の内部には、光源ユニット３０及びバッテリ４０を収容するための空間が形成されている。また筐体１１の内部には、光源ユニット３０及びバッテリ４０をそれぞれ着脱自在に保持する光源コネクタ及びバッテリコネクタが設けられている。当該光源コネクタ及びバッテリコネクタは、装着された光源ユニット３０及びバッテリ４０を、回路カバー１２の内部に収容された電気回路に電気的に接続する。
【００１２】
表示体２０は、カバー体２１及び表示板２２を含む。カバー体２１は、本体１０に嵌合する。カバー体２１は、大きな開口を有して枠状をなしている。カバー体２１には、カバー体２１の開口を覆うように、表示板２２が取り付けられている。これにより表示体２０は、本体１０に取り付けられることにより、本体１０の開口を覆う。表示板２２は、透光性を有した樹脂などを板状に形成したものであり、避難誘導のための図柄が形成されている。表示板２２の背面には、図１には表れていないが、導光板が配置されている。導光板は、側端から内部に入射した光を、表示板２２に対向した面のほぼ全面から出射させる。かくして、この導光板から出射した光により、表示板２２は光る。
【００１３】
光源ユニット３０は、光源としての複数のＬＥＤ３１と照度センサ３２とを図示のように備える。図１では、２つのＬＥＤ３１を図示しているが、３つ以上のＬＥＤ３１が備えられてもよい。またＬＥＤ３に代えて、別の種類の光源が設けられてもよい。光源ユニット３０が本体１０に装着され、さらに表示体２０が本体１０に取り付けられている状態においては、ＬＥＤ３１が発する光が、導光板の側端に入射される。照度センサ３２は、その受光面に入射する光による照度を測定する。照度センサ３２の受光面における照度は、ＬＥＤ３１の発光強度に応じて変化する。そして照度センサ３２は、照度測定値を表す照度データを出力する。ＬＥＤ３１は、発光に伴って劣化し、例えば総点灯時間が６万時間程度となると寿命を迎える。従って、光源ユニット３０は消耗部品の一例である。光源ユニット３０を本体１０に対して着脱自在としているのは、光源ユニット３０の交換を可能とするためである。
【００１４】
バッテリ４０は、筐体４１及び電極４２，４３，４４を含む。筐体４１は、図１では図示されない充電セルを内部に収容する。電極４２，４３，４４は、バッテリ４０が本体１０に装着された状態において、本体１０に取り付けられた３つの接点にそれぞれ接する。バッテリ４０は、電極４２，４３を介して外部からの供給電力を受けて充電セルに蓄える。バッテリ４０は、電極４２，４３の間に負荷が接続された場合には、充電セルに蓄えられた電力を電極４２，４３から出力する。バッテリ４０は、商用電源等の外部電源からの電力供給が停止した場合に利用する非常時用の電源として非常用点灯装置１に設けられている。
【００１５】
図２は非常用点灯装置１の要部の電気回路構成を示す図である。なお、図２において図１に示されるのと同一の要素については、同一の符号を付して示す。また図２において、各種の回路部品及び回路ブロックの間をつなぐ線は、実線が電源系の電線を示し、破線が制御系の伝送路を示す。また、二点鎖線により囲われる範囲内に示される回路部品及び回路ブロックは、回路カバー１２により覆われている。
【００１６】
非常用点灯装置１は、電気的な要素としては、図１にも示される端子台１３、点検スイッチ１４、モニタランプ１５〜１７、発光素子１８、受光素子１９、光源ユニット３０及びバッテリ４０に加えて、整流回路Ｃｉ１、監視回路Ｃｉ２、正常時電源回路Ｃｉ３、正常時点灯回路Ｃｉ４、フィードバック回路（ＦＢ回路）Ｃｉ５、充電回路Ｃｉ６、非常時電源回路Ｃｉ７、点灯制御回路Ｃｉ８、インタフェース回路Ｃｉ９、送受信回路Ｃｉ１０、コンデンサＣａ１、ダイオードＤ１、電圧計Ｖｍ１、リセットスイッチＳｗ２、メンテナンススイッチＳｗ３及びコントローラＣｏ１を含む。
【００１７】
端子台１３に備えられた一対の端子１３ａ，１３ｂには、商用電源等の外部電源２に接続された２本の電源線がそれぞれ結線される。また端子１３ａ，１３ｂは、整流回路Ｃｉ１の一対の入力端に接続されている。これにより整流回路Ｃｉ１の一対の入力端には、外部電源２から供給される交流電力が入力されている。整流回路Ｃｉ１は、交流電力を整流し、これにより得られる直流電力を出力する。整流回路Ｃｉ１の一対の出力端の間に整流回路Ｃｉ１が出力する直流電力は、コンデンサＣａ１により平滑化された上で、監視回路Ｃｉ２及び正常時電源回路Ｃｉ３へと供給される。
【００１８】
監視回路Ｃｉ２は、直流電力の供給状況を検出し、その検出結果をコントローラＣｏ１へと送る。
正常時電源回路Ｃｉ３は、トランスＴｒ１、ダイオードＤ１１，Ｄ１２、コンデンサＣａ１１，Ｃａ１２及び電源回路Ｃｉ３１を含む。正常時電源回路Ｃｉ３は、供給された直流電力から、ＩＰＤ（intelligent power device）を用いた電源回路Ｃｉ３１によるスイッチングと、トランスＴｒ１による降圧とにより、２つの直流電力を得る。正常時電源回路Ｃｉ３は、これら２つの直流電力の一方を、ダイオードＤ１１及びコンデンサＣａ１１からなる整流平滑回路を介して正常時点灯回路Ｃｉ４に供給する。正常時電源回路Ｃｉ３はまた、上記２つの直流電力の他方を、ダイオードＤ１２及びコンデンサＣａ１２からなる整流平滑回路を介して充電回路Ｃｉ６に供給する。なお、電源回路Ｃｉ３１は、フィードバック回路Ｃｉ５から与えられるフィードバック情報に従って、スイッチング周波数を調整する。
【００１９】
正常時点灯回路Ｃｉ４は、正常時電源回路Ｃｉ３から供給された直流電力に基づき、点灯制御回路Ｃｉ８を動作させるための直流電力を生成する。そして正常時点灯回路Ｃｉ４は、生成した直流電力を、逆流防止用のダイオードＤ１を介して点灯制御回路Ｃｉ８に供給する。
フィードバック回路Ｃｉ５は、正常時点灯回路Ｃｉ４の定電流の情報をフィードバック情報として電源回路Ｃｉ３１にフィードバックする。
充電回路Ｃｉ６は、正常時電源回路Ｃｉ３から供給された直流電力を用いて、バッテリ４０に備えられる充電セル４５を充電する。
【００２０】
非常時電源回路Ｃｉ７は、駆動回路Ｃｉ７１、スイッチＳｗ１、トランスＴｒ２、ダイオードＤ２１，Ｄ２２及びコンデンサＣａ２１，Ｃａ２２を含む。非常時電源回路Ｃｉ７は、駆動回路Ｃｉ７１が起動していないときには、スイッチＳｗ１がオフとなっており、充電回路Ｃｉ６から出力される直流電力、あるいは充電セル４５に蓄えられている直流電力を消費しない。非常時電源回路Ｃｉ７は、コントローラＣｏ１の制御の下に駆動回路Ｃｉ７１が起動しているときは、駆動回路Ｃｉ７１によるスイッチＳｗ１のスイッチングと、トランスＴｒ２による昇圧とにより、充電セル４５が出力する直流電力から２つの直流電力を得る。非常時電源回路Ｃｉ７は、これら２つの直流電力の一方を、ダイオードＤ２１及びコンデンサＣａ２１からなる整流平滑回路を介して点灯制御回路Ｃｉ８に供給する。非常時電源回路Ｃｉ７はまた、上記２つの直流電力の他方を、ダイオードＤ２２及びコンデンサＣａ２２からなる整流平滑回路を介してコントローラＣｏ１に供給する。なお、駆動回路Ｃｉ７１としては、上記の動作のための既製のＩＣ（integrated circuit）を用いることができる。
【００２１】
点灯制御回路Ｃｉ８は、正常時点灯回路Ｃｉ４又は非常時電源回路Ｃｉ７から供給される直流電力により動作し、ＬＥＤ３１に定電流を供給する。点灯制御回路Ｃｉ８は、コントローラＣｏ１の制御の下に、ＬＥＤ３１に供給する定電流の大きさを変化させる。つまり外部電源２から電力が供給される正常時には、正常時点灯回路Ｃｉ４と点灯制御回路Ｃｉ８とにより、外部電源２から供給される電力を用いてＬＥＤ３１を点灯させるのである。したがって、正常時点灯回路Ｃｉ４及び点灯制御回路Ｃｉ８の協働により、正常時点灯手段としての機能が実現される。また、外部電源２から電力が供給されない非常時には、非常時電源回路Ｃｉ７と点灯制御回路Ｃｉ８とにより、バッテリ４０から供給される電力を用いてＬＥＤ３１を点灯させるのである。したがって、非常時電源回路Ｃｉ７及び点灯制御回路Ｃｉ８の協働により、非常時点灯手段としての機能が実現される。
【００２２】
インタフェース回路Ｃｉ９には、点検スイッチ１４、モニタランプ１５〜１７、リセットスイッチＳｗ２及びメンテナンススイッチＳｗ３がそれぞれ接続されている。インタフェース回路Ｃｉ９は、コントローラＣｏ１の制御の下にモニタランプ１５〜１７を点灯させる。インタフェース回路Ｃｉ９は点検スイッチ１４、リセットスイッチＳｗ２及びメンテナンススイッチＳｗ３が押下されたことを検出し、押下されたのがどのスイッチであるかを識別可能とした検出情報をコントローラＣｏ１に出力する。なお、リセットスイッチＳｗ２は、光源ユニット３０を交換した場合に、その交換作業の作業者が押下すべきボタンスイッチであり、表示体２０を取り外した状態で押下が可能なように本体１０に設けられている。メンテナンススイッチＳｗ３は、回路カバー１２に覆われた電気回路のメンテナンスを終了した場合に、そのメンテナンスの作業者が押下すべきボタンスイッチであり、回路カバー１２を筐体１１から取り外した状態で押下が可能なように本体１０に設けられている。
【００２３】
送受信回路Ｃｉ１０は、リモートコントローラへと送信するためにコントローラＣｏ１から与えられるデータを赤外線送信するべく発光素子１８を駆動する。送受信回路Ｃｉ１０は、受光素子により赤外光を受光することで得られた受信信号から、赤外線伝送されてきたデータを復調する。送受信回路Ｃｉ１０は、復調したデータをコントローラＣｏ１に与える。
電圧計Ｖｍ１は、充電セル４５の端子間電圧を測定する。電圧計Ｖｍ１は、電圧測定値をコントローラＣｏ１に与える。
【００２４】
コントローラＣｏ１としては、例えばマイクロコンピュータが用いられる。コントローラＣｏ１は、正常時点灯回路Ｃｉ４、点灯制御回路Ｃｉ８、インタフェース回路Ｃｉ９、送受信回路Ｃｉ１０及びモニタランプ１５〜１７を制御し、非常用点灯装置１としての動作を実現する。コントローラＣｏ１は、充電回路Ｃｉ６などの他の回路や素子を制御する場合もある。コントローラＣｏ１は、当該制御を行うに当たって、監視回路Ｃｉ２における検出結果、インタフェース回路Ｃｉ９が出力する検出情報、送受信回路Ｃｉ１０が出力する情報、照度センサ３２が出力する照度データ、電圧計Ｖｍ１が出力する電圧測定値を参照する。またコントローラＣｏ１は、バッテリ４０に設けられたメモリ４６に記憶されたバッテリコードを読み出し、参照する。バッテリコードは、バッテリ４０を識別するためにバッテリに割り当てられる。バッテリコードは、バッテリ４０の個々を混同なく識別できるように割り当てられることが好ましい。しかしながら、バッテリコードは、バッテリ４０の交換が行われる場合に、交換前のバッテリ４０と交換後のバッテリ４０とを識別可能に定められていればよい。例えば、無作為に選出した２つのバッテリ４０のそれぞれのバッテリコードが互いに異なる確率が十分に高ければ、同じバッテリコードが複数のバッテリ４０に割り当てられていてもよい。
【００２５】
次に、以上のように構成された非常用点灯装置１の動作について説明する。
外部電源２から交流電力が供給されているときが正常時であり、外部電源２から交流電力の供給が断たれているとき、すなわち停電状態にあるときが非常時である。
【００２６】
正常時においては、正常時点灯回路Ｃｉ４から点灯制御回路Ｃｉ８へと直流電力が供給されている。またこのときには、コントローラＣｏ１は駆動回路Ｃｉ７１の動作を停止している。従って、非常時電源回路Ｃｉ７から点灯制御回路Ｃｉ８へは、直流電力は供給されていない。かくして点灯制御回路Ｃｉ８は、外部電源２から供給された交流電力に基づいて整流回路Ｃｉ１、正常時電源回路Ｃｉ３及び正常時点灯回路Ｃｉ４により得られた直流電力により動作する。このときに点灯制御回路Ｃｉ８は、コントローラＣｏ１の制御の下に、ＬＥＤ３１の発光強度を予め定められた正常時強度とする。
また正常時においては、正常時電源回路Ｃｉ３から充電回路Ｃｉ６へと直流電力が供給される。このため、充電回路Ｃｉ６が動作し、充電セル４５に充電する。
【００２７】
このようにして正常時においては、外部電源２からの供給電力を用いて、ＬＥＤ３１が発光されるとともに、充電セル４５に充電される。
正常時から非常時に移行した場合、外部電源２からの交流電力の供給が断たれるために、正常時点灯回路Ｃｉ４は動作不能となり、正常時点灯回路Ｃｉ４から点灯制御回路Ｃｉ８への直流電力の供給は行われなくなる。また監視回路Ｃｉ２への電力供給も行われなくなることから、監視回路Ｃｉ２での検出結果も変化する。当該検出結果の変化に応じてコントローラＣｏ１は、駆動回路Ｃｉ７１を起動する。そうすると、非常時電源回路Ｃｉ７が動作状態となり、非常時電源回路Ｃｉ７から点灯制御回路Ｃｉ８へと直流電力が供給されるようになる。かくして点灯制御回路Ｃｉ８は、バッテリ４０から供給された直流電力に基づいて非常時電源回路Ｃｉ７により得られた直流電力により動作する。このときに点灯制御回路Ｃｉ８は、コントローラＣｏ１の制御の下に、ＬＥＤ３１の発光強度を非常時強度とする。非常時強度は、正常時強度よりも小さい。
以上が非常用点灯装置１の基本動作であるが、これらの動作は既製の同種の装置の動作と同様であってよい。
【００２８】
（光源チェック機能）
上記のような基本動作が行われている際に、コントローラＣｏ１は、光源ユニット３０のチェックのために第１の制御処理を実行している。
図３及び図４は第１の制御処理におけるコントローラＣｏ１のフローチャートである。
【００２９】
ステップＳａ１においてコントローラＣｏ１は、ＬＥＤ３１が点灯中であるか否かを確認する。この確認は、例えば１秒毎などの予め定められた時間間隔で行う。時間間隔は、非常用点灯装置１の設計者などにより任意に定められてよい。ここで、前述の基本動作では、ＬＥＤ３１は常に点灯されるが如く説明した。しかしながらＬＥＤ３１は、後述するように消灯される場合がある。コントローラＣｏ１は、後述する処理によりＬＥＤ３１を消灯させていなければ、点灯中であるとしてＹｅｓと判定し、ステップＳａ２へと進む。
ステップＳａ２においてコントローラＣｏ１は、点灯時間を計時する。すなわちコントローラＣｏ１は例えば、点灯時間の計時値に上記の時間間隔を加算する。
【００３０】
ステップＳａ３においてコントローラＣｏ１は、点灯時間が予め定められた単位時間を経過したか否かを確認する。単位時間は、非常用点灯装置１の設計者などにより任意に定められてよい。ただし単位時間は、ＬＥＤ３１の寿命時間の整数分の１の値に定めることが望ましい。ＬＥＤ３１の寿命時間が60,000時間であるならば、単位時間は、例えば1時間、6時間、12時間、24時間あるいは60時間等とすることが想定される。そしてコントローラＣｏ１は、単位時間が経過していない場合にはＮｏと判定し、ステップＳａ１へと戻る。なお、コントローラＣｏ１は、ＬＥＤ３１が点灯中では無いためにステップＳａ１にてＮｏと判定した場合には、ステップＳａ１を繰り返す。
かくしてコントローラＣｏ１はステップＳａ１〜ステップＳａ３において、点灯状態であった時間が単位時間を経過するのを待ち受ける。そしてコントローラＣｏ１は、点灯時間が単位時間を経過したためにステップＳａ３にてＹｅｓと判定したならば、ステップＳａ４へと進む。
【００３１】
ステップＳａ４においてコントローラＣｏ１は、カウンタＴ１を１つカウントアップする。カウンタＴ１の値は、ＬＥＤ３１の総点灯時間をカウントするための値である。カウンタＴ１の値に単位時間を乗じることによりＬＥＤ３１の総点灯時間が求まる。
ステップＳａ５においてコントローラＣｏ１は、ＬＥＤ３１が寿命に至ったか否かを確認する。具体的にはコントローラＣｏ１は、カウンタＴ１の値が予め定められた閾値Ｔｔｈ１以上であるか否かを確認する。閾値Ｔｔｈ１は、ＬＥＤ３１の寿命時間を単位時間で除して求まる値を基準として、非常用点灯装置１の設計者などにより任意に定められてよい。例えば、寿命時間を単位時間で除して求まる値をそのまま閾値Ｔｔｈ１としてもよいし、あるいは若干のマージンを見越して、寿命時間を単位時間で除して求まる値よりも若干小さな値を閾値Ｔｔｈ１としてもよい。そしてコントローラＣｏ１は、カウンタＴ１の値が予め定められた閾値Ｔｔｈ１未満であるならばＮｏと判定して、ステップＳａ１に戻る。
かくしてコントローラＣｏ１はステップＳａ１〜ステップＳａ５において、ＬＥＤ３１が寿命に至るのを待ち受ける。そしてコントローラＣｏ１は、ＬＥＤ３１が寿命に至ったとしてステップＳａ５にてＹｅｓと判定したならば、ステップＳａ６へと進む。なお、ＬＥＤ３１が寿命に至っていることは、非常時における点灯の障害の１つである。したがって、コントローラＣｏ１はステップＳａ１〜ステップＳａ５を実行することにより、このような障害を検出する検出手段として機能する。
【００３２】
ステップＳａ６においてコントローラＣｏ１は、光源警報用のモニタランプ１６の点滅を開始させる。
ステップＳａ７においてコントローラＣｏ１は、カウンタＴ２をクリアする。カウンタＴ２の値は、モニタランプ１６の点滅及び後述するお知らせ点灯による報知を行っている期間をカウントするための値である。
ステップＳａ８においてコントローラＣｏ１は、光源ユニット３０が過去に交換されたか否かを確認する。具体的にはコントローラＣｏ１は、過去に交換が行われたか否かを表すためのものであり、初期状態ではリセット状態にあるフラグＦ１がセット状態にあるか否かを確認する。そしてコントローラＣｏ１は、フラグＦ１がリセット状態であるならばＮｏと判定し、ステップＳａ９へと進む。
【００３３】
ステップＳａ９においてコントローラＣｏ１は、第１のお知らせ点灯を開始する。第１のお知らせ点灯は、光源ユニット３０を交換すべきであることを、非常用点灯装置１の管理者に報知するためにＬＥＤ３１の発光状態を変化させることである。
図５、図６及び図７はお知らせ点灯におけるＬＥＤ３１の発光強度の時間変化の例を示した図である。
図５においては、ＬＥＤ３１の発光強度は、多くの時間においては正常時強度とするが、一定の時間周期で短時間だけ消灯する。
図６においては、ＬＥＤ３１の発光強度を、正常時強度及び非常時強度の中間的な強度に一定とする。
図７においては、ＬＥＤ３１の発光強度は、多くの時間においては正常時強度とするが、一定の時間周期で短時間だけ正常時強度及び非常時強度の中間的な強度とする。
コントローラＣｏ１は、図３，図４に示すのとは別の図示しない制御処理により、このような発光状態が形成されるように点灯制御回路Ｃｉ８を制御する。第１のお知らせ点灯をこれら例のいずれとするかは、非常用点灯装置１の設計者などにより任意に定められてよい。あるいは、コントローラＣｏ１は、複数の点灯状態を選択的に形成可能としておき、非常用点灯装置１の管理者などの指示に応じて１つの点灯状態を形成してもよい。また、コントローラＣｏ１は、複数の点灯状態を選択的に形成可能としておき、１つの点灯状態を予め定められた継続時間に渡り継続した後、別の点灯状態を形成してもよい。第１のお知らせ点灯は、障害が検出されたことを報知するために予め定められた発光状態でのＬＥＤ３１の発光の一つである。従ってコントローラＣｏ１は、ステップＳａ９を実行することによって、当該発光を行わせるように制御する制御手段として機能する。
【００３４】
ステップＳａ１０においてコントローラＣｏ１は、リセットスイッチＳｗ２が押下されたか否かを確認する。そしてコントローラＣｏ１は、リセットスイッチＳｗ２が押下されていないのならばＮｏと判定し、ステップＳａ１１へと進む。
ステップＳａ１１においてコントローラＣｏ１は、第１のお知らせ点灯の点灯時間が予め定められた単位時間を経過したか否かを確認する。単位時間は、非常用点灯装置１の設計者などにより任意に定められてよい。一例として単位時間は、１分などに定められることが想定される。そしてコントローラＣｏ１は、第１のお知らせ点灯の点灯時間が単位時間を経過していないためにＮｏと判定したならば、ステップＳａ１０へと戻る。しかしながらコントローラＣｏ１は、第１のお知らせ点灯の点灯時間が単位時間を経過しているためにＹｅｓと判定したならば、ステップＳａ１２へと進む。
【００３５】
ステップＳａ１２においてコントローラＣｏ１は、カウンタＴ２を１つカウントアップする。カウンタＴ２の値は、お知らせ点灯を行っている時間をカウントするための値である。カウンタＴ２の値に単位時間を乗じることによりお知らせ点灯を行っている時間が求まる。
ステップＳａ１３においてコントローラＣｏ１は、第１のお知らせ期間が終了したか否かを確認する。具体的にはコントローラＣｏ１は、カウンタＴ２の値が予め定められた閾値Ｔｔｈ２以上であるか否かを確認する。閾値Ｔｔｈ２は、第１のお知らせ表示を行うべき時間を単位時間で除して求まる値を基準として、非常用点灯装置１の設計者などにより任意に定められてよい。そしてコントローラＣｏ１は、カウンタＴ２の値が閾値Ｔｔｈ２未満であるならばＮｏと判定して、ステップＳａ１０に戻る。
かくしてコントローラＣｏ１はステップＳａ１０〜ステップＳａ１３において、第１のお知らせ表示を終了すべきタイミングが到来するのを待ち受ける。そしてコントローラＣｏ１は、カウンタＴ２の値が閾値Ｔｔｈ２であるならば、終了すべきタイミングであるとしてステップＳａ１３にてＹｅｓと判定し、ステップＳａ１４へと進む。
【００３６】
ステップＳａ１４においてコントローラＣｏ１は、正常時点灯回路Ｃｉ４の動作を停止させる。これにより、正常時であれば、ＬＥＤ３１は消灯される。非常時であれば、正常時点灯回路Ｃｉ４はＬＥＤ３１の点灯には関与しないので、バッテリ４０から充分な電力供給がなされていれば、ＬＥＤ３１は点灯されたままとなる。また、正常時であるためにＬＥＤ３１が消灯されたのちであっても、非常時となったならば、基本的動作として説明したようにＬＥＤ３１は点灯を開始する。つまり、正常時点灯回路Ｃｉ４の動作を停止させることにより、正常時におけるＬＥＤ３１の点灯のみが停止される。このようにして、第１のお知らせ表示に応じてリセットスイッチＳｗ２が押下されない状態が第１のお知らせ期間を超えて継続した場合には、正常時におけるＬＥＤ３１の点灯を完全に停止することにより、管理者に対する報知が行われる。
【００３７】
ステップＳａ１５においてコントローラＣｏ１は、リセットスイッチＳｗ２が押下されるのを待ち受ける。
さて、管理者または保守作業者は、モニタランプ１６の点滅、ＬＥＤ３１による第１のお知らせ点灯、あるいは正常時におけるＬＥＤ３１の消灯のいずれかにより光源ユニット３０が寿命となったことを認識する。そしてこの場合に管理者または保守作業者は、表示体２０を本体１０から取り外し、さらには光源ユニット３０を本体１０から取り外す。そして管理者または保守作業者は、新しい光源ユニット３０を本体１０に取り付けた上で、リセットスイッチＳｗ２を押下する。
コントローラＣｏ１は、上記のようにリセットスイッチＳｗ２が押下されたならば、ステップＳａ１０又はステップＳａ１５にてＹｅｓと判定し、ステップＳａ１６へと進む。
【００３８】
ステップＳａ１６においてコントローラＣｏ１は、フラグＦ１をセットする。これによりフラグＦ１は、光源ユニット３０が一度交換されたか否かを表すことになる。
ステップＳａ１７においてコントローラＣｏ１は、光源ユニット３０の交換を促すために行っている全ての警報動作を終了する。具体的には、コントローラＣｏ１は、モニタランプ１６の点滅を停止させる。コントローラＣｏ１は、第１のお知らせ点灯を実施しているならば、それを終了する。またコントローラＣｏ１は、正常時点灯回路Ｃｉ４の動作を停止させているならば、その動作を再開させる。
ステップＳａ１８においてコントローラＣｏ１は、新たに装着された光源ユニット３０に備えられたＬＥＤ３１の総点灯時間をカウントするために、カウンタＴ１をクリアする。そしてこの後、コントローラＣｏ１はステップＳａ１に戻る。
コントローラＣｏ１は、交換後の光源ユニット３０が寿命に到達したためにステップＳａ５にてＹｅｓと判定したならば、過去に交換がなされていて、フラグＦ１がセットされているから、ステップＳａ８でもＹｅｓと判定することになる。そしてこの場合にコントローラＣｏ１は、図４中のステップＳａ１９へと進む。
ステップＳａ１９においてコントローラＣｏ１は、第２のお知らせ点灯を開始する。第２のお知らせ点灯は、非常用点灯装置１の点検を行うべきことを、非常用点灯装置１の管理者に報知するためにＬＥＤ３１の発光状態を変化させることである。
コントローラＣｏ１は、図３，図４に示すのとは別の図示しない制御処理により、第２のお知らせ点灯のための発光状態が形成されるように点灯制御回路Ｃｉ８を制御する。第２のお知らせ点灯としては、例えば図５〜図７に示される発光状態を例とする様々な発光状態のうちで第１のお知らせ点灯とは異なるものを適用できる。第２のお知らせ点灯をどのような点灯状態とするかは、非常用点灯装置１の設計者などにより任意に定められてよい。あるいは、コントローラＣｏ１は、複数の点灯状態を選択的に形成可能としておき、非常用点灯装置１の管理者などの指示に応じて１つの点灯状態を形成してもよい。
【００３９】
ステップＳａ２０においてコントローラＣｏ１は、メンテナンススイッチＳｗ３が押下されたか否かを確認する。そしてコントローラＣｏ１は、メンテナンススイッチＳｗ３が押下されていないのならばＮｏと判定し、ステップＳａ２１へと進む。
ステップＳａ２１においてコントローラＣｏ１は、第２のお知らせ点灯の点灯時間が予め定められた単位時間を経過したか否かを確認する。単位時間は、非常用点灯装置１の設計者などにより任意に定められてよい。一例として単位時間は、１分などに定められることが想定される。そしてコントローラＣｏ１は、第２のお知らせ点灯の点灯時間が単位時間を経過していないためにＮｏと判定したならば、ステップＳａ２０へと戻る。しかしながらコントローラＣｏ１は、第２のお知らせ点灯の点灯時間が単位時間を経過しているためにＹｅｓと判定したならば、ステップＳａ２２へと進む。
【００４０】
ステップＳａ２２においてコントローラＣｏ１は、カウンタＴ２を１つカウントアップする。カウンタＴ２の値は、お知らせ点灯を行っている時間をカウントするための値である。カウンタＴ２の値に単位時間を乗じることによりお知らせ点灯を行っている時間が求まる。
ステップＳａ２３においてコントローラＣｏ１は、第２のお知らせ期間が終了したか否かを確認する。具体的にはコントローラＣｏ１は、カウンタＴ２の値が予め定められた閾値Ｔｔｈ３以上であるか否かを確認する。閾値Ｔｔｈ３は、第２のお知らせ表示を行うべき時間を単位時間で除して求まる値を基準として、非常用点灯装置１の設計者などにより任意に定められてよい。そしてコントローラＣｏ１は、カウンタＴ２の値が閾値Ｔｔｈ３未満であるならばＮｏと判定して、ステップＳａ２０に戻る。
かくしてコントローラＣｏ１はステップＳａ２０〜ステップＳａ２３において、第２のお知らせ表示を終了すべきタイミングが到来するのを待ち受ける。そしてコントローラＣｏ１は、カウンタＴ２の値が閾値Ｔｔｈ３であるならば、終了すべきタイミングであるとしてステップＳａ２３にてＹｅｓと判定し、ステップＳａ２４へと進む。
【００４１】
ステップＳａ２４においてコントローラＣｏ１は、正常時点灯回路Ｃｉ４の動作を停止させる。これにより、正常時であれば、ＬＥＤ３１は消灯される。非常時であれば、正常時点灯回路Ｃｉ４はＬＥＤ３１の点灯には関与しないので、バッテリ４０から充分な電力供給がなされていれば、ＬＥＤ３１は点灯されたままとなる。また、正常時であるためにＬＥＤ３１が消灯されたのちであっても、非常時となったならば、基本的動作として説明したようにＬＥＤ３１は点灯を開始する。
【００４２】
ステップＳａ２５においてコントローラＣｏ１は、メンテナンススイッチＳｗ３が押下されたか否かを確認する。そしてコントローラＣｏ１は、メンテナンススイッチＳｗ３が押下されていないならばＮｏと判定し、ステップＳａ２６へと進む。
ステップＳａ２６においてコントローラＣｏ１は、非常用点灯装置１の周囲が暗くなっているか否かを確認する。コントローラＣｏ１は具体的には、照度センサ３２による照度測定値が予め定められた閾値Ｌｔｈ１以下となっているか否かを確認する。閾値Ｌｔｈ１は、ＬＥＤ３１を消灯させた状態で、非常用点灯装置１の周囲の明るさを徐々に暗くした場合に、非常用点灯装置１を視認することが困難となる明るさにおいて照度センサ３２が出力する照度測定値程度に定められることが想定される。正常時点灯回路Ｃｉ４の動作を停止させることによりＬＥＤ３１を消灯させた状態にあっては、非常用点灯装置１の周囲から表示板２２を透過して照度センサ２３へと入射する光量が、照度センサ３２による照度測定値において支配的となる。従って照度センサ２３の測定値は、非常用点灯装置１の周囲の明るさを表す。そして照度センサ２３は、非常用点灯装置１の周囲の明るさを測定する測定手段として機能する。ただし閾値Ｌｔｈ１は、非常用点灯装置１の設計者などにより任意に定められてよい。そしてコントローラＣｏ１は、照度測定値が閾値Ｌｔｈ１以下にはなっていないならばＮｏと判定し、ステップＳａ２５へと戻る。
かくしてコントローラＣｏ１は、ステップＳａ２５及びステップＳａ２６においては、メンテナンススイッチＳｗ３が押下されるか、あるいは周囲が暗くなるのを待ち受ける。そしてコントローラＣｏ１は、照度測定値が閾値Ｌｔｈ１以下になったならばステップＳａ２６にてＹｅｓと判定し、ステップＳａ２７へと進む。
【００４３】
ステップＳａ２７においてコントローラＣｏ１は、正常時点灯回路Ｃｉ４を起動する。これにより、正常時点灯回路Ｃｉ４からの電力供給によるＬＥＤ３１の点灯が再開され、非常用点灯装置１の視認が容易となる。
【００４４】
ステップＳａ２８においてコントローラＣｏ１は、メンテナンススイッチＳｗ３が押下されたか否かを確認する。そしてコントローラＣｏ１は、メンテナンススイッチＳｗ３が押下されていないならばＮｏと判定し、ステップＳａ２９へと進む。
ステップＳａ２９においてコントローラＣｏ１は、非常用点灯装置１の周囲が明るくなっているか否かを確認する。コントローラＣｏ１は具体的には、照度センサ３２による照度測定値が予め定められた閾値Ｌｔｈ２以上となっているか否かを確認する。閾値Ｌｔｈ２は、非常用点灯装置１の周囲の明るさを徐々に明るくした場合に、非常用点灯装置１を視認することが可能となる明るさにおいて照度センサ３２が出力する照度測定値程度に定められることが想定される。ただし閾値Ｌｔｈ２は、非常用点灯装置１の設計者などにより任意に定められてよい。そしてコントローラＣｏ１は、照度測定値が閾値Ｌｔｈ２以上にはなっていないならばＮｏと判定し、ステップＳａ２８へと戻る。
かくしてコントローラＣｏ１は、ステップＳａ２８及びステップＳａ２９においては、メンテナンススイッチが押下されるか、あるいは周囲が明るくなるのを待ち受ける。そしてコントローラＣｏ１は、照度測定値が閾値Ｌｔｈ２以上になったならばステップＳａ２９にてＹｅｓと判定し、ステップＳａ２４へと戻る。つまりコントローラＣｏ１は、ＬＥＤ３１を点灯させなくとも非常用点灯装置１を視認可能な状況になったならば、正常時点灯回路Ｃｉ４からの電力供給によるＬＥＤ３１の点灯を停止することによる警報状態に戻る。
【００４５】
さて、ＬＥＤ３１が、総点灯時間が6万時間程度となると寿命を迎えるとすると、光源ユニット３０は約7年の間は使用できる。従って、一度交換された光源ユニット３０が寿命を迎えるとき、非常用点灯装置１の使用期間は14年を超える。そこで、光源ユニット３０を改めて交換した上で非常用点灯装置１を使用し続けるためには、非常用点灯装置１を点検することが望ましい。そこで保守作業者は、回路カバー１２を開放して、内部の電気回路を点検することも含め、非常用点灯装置１の必要箇所を点検する。保守作業者は、当該点検を終えたならば、メンテナンススイッチＳｗ３を押下する。メンテナンススイッチＳｗ３は、普段は回路カバー１２に覆われていて押下することができないが、メンテナンスのために上記のように回路カバー１２を開放することによって保守作業者が押下することができる。
【００４６】
コントローラＣｏ１は、上記のようにメンテナンススイッチＳｗ３が押下されたならば、ステップＳａ２０、ステップＳａ２５又はステップＳａ２８にてＹｅｓと判定し、ステップＳａ３０へと進む。
ステップＳａ３０においてコントローラＣｏ１は、点検を促すために行っている全ての警報動作を終了する。具体的には、コントローラＣｏ１は、モニタランプ１６の点滅を停止させる。コントローラＣｏ１は、第２のお知らせ点灯を実施しているならば、それを終了する。またコントローラＣｏ１は、正常時点灯回路Ｃｉ４の動作を停止させているならば、その動作を再開させる。
【００４７】
ステップＳａ３１においてコントローラＣｏ１は、点検終了後のＬＥＤ３１の総点灯時間をカウントするためのカウンタＴ３をクリアする。
ステップＳａ３２においてコントローラＣｏ１は、ＬＥＤ３１が点灯中であるか否かを確認する。この確認は、ステップＳａ１と同様に行われてよい。コントローラＣｏ１は、ＬＥＤ３１が点灯中であるならばＹｅｓと判定し、ステップＳａ３３へと進む。
ステップＳａ３３においてコントローラＣｏ１は、点灯時間を計時する。すなわちコントローラＣｏ１は例えば、点灯時間の計時値に上記の時間間隔を加算する。
【００４８】
ステップＳａ３４においてコントローラＣｏ１は、点灯時間が予め定められた単位時間を経過したか否かを確認する。単位時間は、非常用点灯装置１の設計者などにより任意に定められてよい。ただし単位時間は、非常用点灯装置１を点検すべき周期の整数分の１の値に定めることが望ましい。非常用点灯装置１を点検すべき周期を１年間とするならば、単位時間は、例えば1時間、6時間、12時間、24時間あるいは60時間等とすることが想定される。そしてコントローラＣｏ１は、単位時間が経過していない場合にはＮｏと判定し、ステップＳａ３２へと戻る。なお、コントローラＣｏ１は、ＬＥＤ３１が点灯中では無いためにステップＳａ３２にてＮｏと判定した場合には、ステップＳａ３２を繰り返す。
かくしてコントローラＣｏ１はステップＳａ３２〜ステップＳａ３４において、点灯状態であった時間が単位時間を経過するのを待ち受ける。そしてコントローラＣｏ１は、点灯時間が単位時間を経過したためにステップＳａ３４にてＹｅｓと判定したならば、ステップＳａ３５へと進む。
【００４９】
ステップＳａ３５においてコントローラＣｏ１は、カウンタＴ３を１つカウントアップする。カウンタＴ３の値に単位時間を乗じることにより点検終了後のＬＥＤ３１の総点灯時間が求まる。
ステップＳａ３６においてコントローラＣｏ１は、新たな点検タイミングが到来したか否かを確認する。具体的にはコントローラＣｏ１は、カウンタＴ３の値が予め定められた閾値Ｔｔｈ４以上であるか否かを確認する。閾値Ｔｔｈ４は、点検周期を単位時間で除して求まる値を基準として、非常用点灯装置１の設計者などにより任意に定められてよい。例えば、点検周期を単位時間で除して求まる値をそのまま閾値Ｔｔｈ４としてもよいし、あるいは若干のマージンを見越して、点検周期を単位時間で除して求まる値よりも若干小さな値を閾値Ｔｔｈ４としてもよい。そしてコントローラＣｏ１は、カウンタＴ３の値が予め定められた閾値Ｔｔｈ４未満であるならばＮｏと判定して、ステップＳａ３２に戻る。
かくしてコントローラＣｏ１はステップＳａ３２〜ステップＳａ３６において、点検タイミングが到来するのを待ち受ける。そしてコントローラＣｏ１は、点検タイミングが到来したとしてステップＳａ３６にてＹｅｓと判定したならば、ステップＳａ３７へと進む。
ステップＳａ３７においてコントローラＣｏ１は、光源警報用のモニタランプ１６の点滅を開始させる。そしてこの後にコントローラＣｏ１は、ステップＳａ１９以降の処理を前述したのと同様に実行する。
【００５０】
図８は実際の使用状況における第１の制御処理によるＬＥＤ３１の点灯状態の遷移の一例を示す図である。
ここでは、外部電源２から絶えることなく電力供給がなされている場合を示す。また、閾値Ｔｔｈ１，Ｔｔｈ２，Ｔｔｈ３，Ｔｔｈ４に単位時間を乗じて求まる時間をそれぞれ、59,500時間、500時間、500時間、8,760時間としている。
初回起動により基本動作によるＬＥＤ３１の点灯が開始されてから59,500時間（約6.8年間）が経過した時点から第１のお知らせ点灯が開始されている。この例では、第１のお知らせ点灯は図６に示すパターンである。そして500時間（約21日間）に渡る第１のお知らせ期間において光源ユニット３０の交換が行われなかったために、当該第１のお知らせ期間の終了をもってＬＥＤ３１が消灯されている。
光源ユニット３０の初回の交換がなされたことに応じて、基本動作によるＬＥＤ３１の点灯が再開され、その後に再び59,500時間が経過した時点からお知らせ点灯が再度開始されている。ただし、このときには既に光源ユニット３０の交換が一度行われているから、実施されるのは第２のお知らせ点灯となっている。この例では、第２のお知らせ点灯は図５に示すパターンである。そして500時間（約21日間）に渡る第２のお知らせ期間において光源ユニット３０の交換が行われなかったために、当該第２のお知らせ期間の終了をもってＬＥＤ３１が消灯されている。
光源ユニット３０の２回目の交換がなされたことに応じて、基本動作によるＬＥＤ３１の点灯が再開される。光源ユニット３０が２回交換されているため、8,760時間（約1年間）が経過して点検タイミングとなると、第２のお知らせ点灯が再度行われている。このときには、光源ユニット３０が交換されてリセットスイッチＳｗ２が押下されても、第２のお知らせ点灯は解除されない。そして、メンテナンススイッチＳｗ３が押下されることがないまま第２のお知らせ期間が終了したことをもってＬＥＤ３１が消灯されている。このＬＥＤ３１の消灯も、光源ユニット３０が交換されてリセットスイッチＳｗ２が押下されても解除されない。
回路カバー１２を開放しての点検が行われて、回路がバー１２により覆われていたメンテナンススイッチＳｗ３が押下されたことに応じて、基本動作によるＬＥＤ３１の点灯が再開される。この後には、8,760時間（約1年間）が経過して点検タイミングとなる毎に第２のお知らせ点灯が開始される。
【００５１】
以上のように第１の制御処理により、ＬＥＤ３１の点灯状態により光源ユニット３０の交換又は非常用点灯装置１の点検を促すためのお知らせ点灯が行われる。ＬＥＤ３１の点灯状態は表示体２０の発光状態に表れるので、上記のお知らせ点灯は、非常用点灯装置１を注視しない人からも気付きやすいものとなる。
【００５２】
また第１の制御処理により、上記のお知らせ点灯を予め定めた期間に渡り行っても適切な対応が行われない場合には、正常時に限りＬＥＤ３１を消灯する。非常用点灯装置１は、原則として常に点灯しているべきである。そのような非常用点灯装置１が消灯していることにより、非常用点灯装置１が異常な状態であることを、周囲の人に強く印象づけることができる。そして非常時には、規定通りに非常用の点灯がなされるので、非常用点灯装置１としての欠かせない機能は発揮できる。
【００５３】
また第１の制御処理により、光源ユニット３０の二度目の交換までと、それ以降とでは、お知らせ点灯の内容が異なり、かつ当該お知らせ点灯を解除するための操作も異なる。これにより、おのおののタイミングでの非常用点灯装置１の状態に応じた適切な処置を行うように管理者又は保守作業者に促すことができる。
【００５４】
（バッテリチェック機能）
バッテリ４０は、非常時において20分間は非常用点灯装置１を動作させ続けられることが消防法により規定されている。バッテリ４０は、いつ非常時となっても対応可能なように、充電セル４５に十分な電力を蓄えた状態を維持する必要がある。このためバッテリ４０は劣化し、交換する必要がある。
バッテリの状態を確認したい場合に、非常用点灯装置１の管理者又は保守作業者は、点検スイッチ１４を押下するか、図示しないリモートコントローラに設けられた点検ボタンを押下するなどして点検開始を指示する。
【００５５】
コントローラＣｏ１は、前述の正常時の基本動作が行われている際に、バッテリ４０のチェックのために第２の制御処理を実行している。なお非常用点灯装置１においては、この第２の制御処理により、ＬＥＤ３１を駆動する回路の機能についてもチェックする。
図９は第２の制御処理におけるコントローラＣｏ１のフローチャートである。
【００５６】
ステップＳｂ１においてコントローラＣｏ１は、点検開始の指示が成されるのを待ち受けている。そしてコントローラＣｏ１は、前述の様に点検開始が指示されたならばＹｅｓと判定し、ステップＳｂ２へと進む。
ステップＳｂ２においてコントローラＣｏ１は、照度センサ３２が出力する照度測定値を変数Ｌ１にセットする。これにより変数Ｌ１は、点検開始前における正常時のＬＥＤ３１による照度に応じた値を表すものとなる。
【００５７】
ステップＳｂ３においてコントローラＣｏ１は、正常時点灯回路Ｃｉ４の動作を停止する。これによりＬＥＤ３１は、消灯する。
ステップＳｂ４においてコントローラＣｏ１は、非常時電源回路Ｃｉ７を起動する。これにより、非常時電源回路Ｃｉ７からの供給電力による点灯制御回路Ｃｉ８でのＬＥＤ３１の駆動が開始され、ＬＥＤ３１が再度点灯する。このときにコントローラＣｏ１は、ＬＥＤ３１の発光量を非常時のために予め定められた発光量よりも大きな点検用の発光量とする。両発光量は、非常用点灯装置１の設計者などにより任意に定められてよい。一例として、非常時の発光量をＬＥＤ３１の最大発光量の20％とし、点検用の発光量をＬＥＤ３１の最大発光量の100％とすることが想定される。
かくしてコントローラＣｏ１は、正常時に、非常時の動作状態を強制的に形成する。
【００５８】
ステップＳｂ５においてコントローラＣｏ１は、照度センサ３２が出力する照度測定値を変数Ｌ２にセットする。これにより変数Ｌ２は、ＬＥＤ３１による現在の照度に応じた値を表すものとなる。
ステップＳｂ６においてコントローラＣｏ１は、ＬＥＤ３１による現在の照度が予め定められた照度に到達したか否かを確認する。コントローラＣｏ１は具体的には、変数Ｌ２の値が予め定めた閾値Ｌｔｈ３以上となっているか否かを確認する。そしてコントローラＣｏ１は、変数Ｌ２の値が予め定めた閾値Ｌｔｈ３未満であるならば、ＬＥＤ３１による現在の照度が予め定められた照度に到達していないとしてＮｏと判定し、ステップＳｂ５へと戻る。かくしてステップＳｂ５及びステップＳｂ６においてコントローラＣｏ１は、ＬＥＤ３１による現在の照度が予め定められた照度に到達するのを待ち受ける。そしてコントローラＣｏ１は、変数Ｌ２の値が予め定めた閾値Ｌｔｈ３以上となったならばステップＳｂ６にてＹｅｓと判定し、ステップＳｂ７へと進む。なお閾値Ｌｔｈ３は、非常用点灯装置１の設計者などにより任意に定められてよい。
【００５９】
ステップＳｂ７においてコントローラＣｏ１は、ステップＳｂ４にて非常時電源回路Ｃｉ７を起動してからの経過時間を変数Ｔ１１にセットする。かくして変数Ｔ１１は、非常時電源回路Ｃｉ７からの供給電力を用いた駆動でのＬＥＤ３１による照度が予め定められた強度に到達するまでに要する時間を表すこととなる。
ステップＳｂ８においてコントローラＣｏ１は、非常時電源回路Ｃｉ７からの供給電力を用いた駆動でのＬＥＤ３１の発光が安定するのを待ち受ける。コントローラＣｏ１は具体的には、ステップＳｂ４にて非常時電源回路Ｃｉ７を起動してからの経過時間が予め定められた閾値Ｔｔｈ１１以上となるのを待ち受ける。閾値Ｔｔｈ１１は、非常用点灯装置１の設計者などにより任意に定められてよい。ただし閾値Ｔｔｈ１１は、非常時電源回路Ｃｉ７からの供給電力を用いた駆動でのＬＥＤ３１の発光が安定するのに要する時間よりも長く設定されるべきである。そしてコントローラＣｏ１は、経過時間が閾値Ｔｔｈ１１以上となったならば、発光が安定したとしてＹｅｓと判定し、ステップＳｂ９へと進む。
【００６０】
ステップＳｂ９においてコントローラＣｏ１は、照度センサ３２が出力する照度測定値を変数Ｌ２にセットする。これにより変数Ｌ２は、発光が安定した状態におけるＬＥＤ３１による照度に応じた値を表すものとなる。
ステップＳｂ１０においてコントローラＣｏ１は、ＬＥＤ３１の発光量の正常時と非常時とでの光量差を算出する。コントローラＣｏ１は具体的には、変数Ｌ１と変数Ｌ２との差とし光量差を算出する。照度センサ２３には、表示板２２を透過した外光も入射する。このため変数Ｌ１，Ｌ２が示す照度値は、ＬＥＤ３１の発光量と厳密には比例しない。しかしながら、ここでの変数Ｌ１，Ｌ２はほぼ等しいと考えることができ、変数Ｌ１と変数Ｌ２との差は上記の光量差とみなすことができる。
【００６１】
ステップＳｂ１１においてコントローラＣｏ１は、予め定められた点検期間が終了するのを待ち受ける。点検期間は、非常時における法定の点灯継続時間と、ＬＥＤ３１の非常時の発光量と点検用の発光量との差による負荷の違いを考慮して予め定められる。例えば、点灯継続時間が20分、非常時の発光量での発光時に比べて点検用の発光量での発光時ではＬＥＤ３１の負荷が５倍となるのであれば、点検期間は4分と定める。そしてコントローラＣｏ１は具体的には、ステップＳｂ４にて非常時電源回路Ｃｉ７を起動してからの経過時間が、上記のように定めた点検期間の値をセットした閾値Ｔｔｈ１２以上となるのを待ち受ける。そしてコントローラＣｏ１は、経過時間が閾値Ｔｔｈ１２以上となったためにＹｅｓと判定したならば、ステップＳｂ１２へと進む。
ステップＳｂ１２においてコントローラＣｏ１は、変数Ｖ１に電圧計Ｖｍ１が出力する電圧測定値をセットする。これにより変数Ｖ１は、点検期間が終了した時点における充電セル４５の端子間電圧を表すことになる。
【００６２】
ステップＳｂ１３においてコントローラＣｏ１は、変数Ｖ１が、ＬＥＤ３１を非常時の発光量で発光させるのに必要な端子間電圧として予め定められた閾値Ｖｔｈ１以下であるか否かを確認する。そしてコントローラＣｏ１は、Ｖ１≦Ｖｔｈ１であるためにＹｅｓと判定したならば、ステップＳｂ１４へと進む。
ステップＳｂ１４においてコントローラＣｏ１は、フラグＦ２をセットする。これによりフラグＦ２がセット状態であるとき、バッテリ４０が所期の性能を発揮できない状態にあることを表すことになる。なお、バッテリ４０が所期の性能を発揮できない状態にあることは、非常時における点灯の障害の１つである。したがって、コントローラＣｏ１はステップＳｂ１〜ステップＳｂ１３を実行することにより、このような障害を検出する検出手段として機能する。
【００６３】
ステップＳｂ１５においてコントローラＣｏ１は、バッテリ警報用のモニタランプ１５を点灯させる。そしてコントローラＣｏ１はこの後、ステップＳｂ１９へと進む。
【００６４】
一方、コントローラＣｏ１は、Ｖ１≦Ｖｔｈ１ではないためにステップＳｂ１３にてＮｏと判定したならば、ステップＳｂ１６へと進む。
ステップＳｂ１６においてコントローラＣｏ１は、変数Ｖ１に電圧計Ｖｍ１が出力する電圧測定値をセットする。これにより変数Ｖ１は、現時点における充電セル４５の端子間電圧を表すことになる。
ステップＳｂ１７においてコントローラＣｏ１は、変数Ｖ１が、閾値Ｖｔｈ１よりも小さい値として予め定められた閾値Ｖｔｈ２以下であるか否かを確認する。閾値Ｖｔｈ２は、非常用点灯装置１の設計者などにより任意に定められてよい。そしてコントローラＣｏ１は、Ｖ１≦Ｖｔｈ２ではないためにＮｏと判定したならば、ステップＳｂ１６へと戻る。かくしてコントローラＣｏ１は、ステップＳｂ１６及びステップＳｂ１７においては、現時点における充電セル４５の端子間電圧が閾値Ｖｔｈ２以下まで低下するのを待ち受ける。そしてコントローラＣｏ１は、Ｖ１≦Ｖｔｈ２となったためにステップＳｂ１７にてＹｅｓと判定したならば、ステップＳｂ１８へと進む。
ステップＳｂ１８においてコントローラＣｏ１は、点検期間を越えてＬＥＤ３１を点灯させ続けることができる時間である余裕時間を算出し、この余裕時間を蓄積的に記録した履歴情報に追加する。履歴情報は、例えばコントローラＣｏ１の内部メモリに記憶される。コントローラＣｏ１は具体的には、ステップＳｂ１１にてＹｅｓと判定した時点からステップＳｂ１７にてＹｅｓと判定した時点までの経過時間として余裕時間を算出する。あるいはコントローラＣｏ１は、当該経過時間に非常時の発光量と点検用の発光量との比を乗じて求まる時間として余裕時間を算出してもよい。そしてコントローラＣｏ１はこの後、ステップＳｂ１９へと進む。
【００６５】
ステップＳｂ１９においてコントローラＣｏ１は、非常時電源回路Ｃｉ７の動作を停止させる。
ステップＳｂ２０においてコントローラＣｏ１は、正常時点灯回路Ｃｉ４の動作を開始させる。
かくしてコントローラＣｏ１は、点検のために強制的に形成していた非常時の動作状態を解除し、基本動作の状態に戻す。
【００６６】
ステップＳｂ２１においてコントローラＣｏ１は、照度センサ３２が出力する照度測定値を変数Ｌ２にセットする。これにより変数Ｌ２は、ＬＥＤ３１による現在の照度に応じた値を表すものとなる。
ステップＳｂ２２においてコントローラＣｏ１は、ＬＥＤ３１による現在の照度が予め定められた照度に到達したか否かを確認する。コントローラＣｏ１は具体的には、変数Ｌ２の値が予め定めた閾値Ｌｔｈ４以上となっているか否かを確認する。そしてコントローラＣｏ１は、変数Ｌ２の値が予め定めた閾値Ｌｔｈ４未満であるならば、ＬＥＤ３１による現在の照度が予め定められた照度に到達していないとしてＮｏと判定し、ステップＳｂ２１へと戻る。かくしてステップＳｂ２１及びステップＳｂ２２においてコントローラＣｏ１は、ＬＥＤ３１による現在の照度が予め定められた照度に到達するのを待ち受ける。そしてコントローラＣｏ１は、変数Ｌ２の値が予め定めた閾値Ｌｔｈ４以上となったならばステップＳｂ２２にてＹｅｓと判定し、ステップＳｂ２３へと進む。なお閾値Ｌｔｈ４は、非常用点灯装置１の設計者などにより任意に定められてよい。
ステップＳｂ２３においてコントローラＣｏ１は、ステップＳｂ２０にて正常時点灯回路Ｃｉ４を起動してからの経過時間を変数Ｔ１２にセットする。かくして変数Ｔ１２は、正常時点灯回路Ｃｉ４からの供給電力を用いた駆動でのＬＥＤ３１による照度が予め定められた照度に到達するまでに要する時間を表すこととなる。
【００６７】
コントローラＣｏ１は、これをもって第２の制御処理を終了するが、フラグＦ２、変数Ｔ１１及び変数Ｔ１２を内部メモリなどに保持しておく。コントローラＣｏ１は、図示は省略するが、別の制御処理により、フラグＦ２、変数Ｔ１１及び変数Ｔ１２の値と、履歴情報の内容とを表した点検結果情報をリモートコントローラへ送信する。リモートコントローラは、点検結果情報を表示する。かくして、管理者又は保守作業者は、点検結果としてフラグＦ２、変数Ｔ１１及び変数Ｔ１２の値と、履歴情報の内容と認識できる。そして管理者又は保守作業者は、フラグＦ２がセットされているか否かに基づいて、バッテリ４０が正常であるか否かを確認できる。管理者又は保守作業者は、変数Ｔ１１の値により、非常時において非常時電源回路Ｃｉ７を起動してから非常用点灯装置１が非常用の点灯を開始できるまでの時間を確認できる。また管理者又は保守作業者は、変数Ｔ１２の値により、正常時点灯回路Ｃｉ４を起動してから非常用点灯装置１が正常状態での点灯を開始できるまでの時間を確認できる。そして管理者又は保守作業者は、これらの時間に基づき、非常用点灯装置１が所期の性能で機能しているかどうかを確認できる。また管理者又は保守作業者は、履歴情報を参照することにより、余裕時間がどのように変化しているかを認識できる。余裕時間は、バッテリ４０が劣化するほどに短くなる傾向がある。従って管理者又は保守作業者は、余裕時間の変化からバッテリの劣化度合いを推測できる。
【００６８】
なお、非常用点灯装置１では、ＬＥＤ３１の発光量を、非常時に比べて点検時には大きくして負荷を増大させることにより、点検期間の短縮を図っている。これにより、余裕時間を算出するためのステップＳｂ１６〜ステップＳｂ１８の処理を行っていても、全体としての点検に要する時間が大幅に伸びてしまうことがない。
【００６９】
（交換チェック機能）
さて、バッテリ４０が正常ではないことを認識した管理者又は保守作業者は、本体１０から表示体２０を取り外し、バッテリ４０を交換する。このとき、誤って、あるいは故意に、古いバッテリ４０が装着される恐れがある。
そこでコントローラＣｏ１は、第３の制御処理を実行する。
図１０は第３の制御処理におけるコントローラＣｏ１のフローチャートである。コントローラＣｏ１は、非常用点灯装置１が初めて起動される際に第３の制御処理を開始し、その後はこの第３の制御処理を継続的に実行する。
【００７０】
ステップＳｃ１においてコントローラＣｏ１は、バッテリ４０が装着されるのを待ち受ける。そしてコントローラＣｏ１は、バッテリ４０が装着されたためにＹｅｓと判定したならば、ステップＳｃ２へと進む。なお、バッテリ４０が装着されたことは、例えば電圧計Ｖｍ１の検出電圧値の変化により判定することができる。または、コントローラＣｏ１がメモリ４６にアクセスできるか否かにより、バッテリ４０が装着されているか否かを判定することができる。あるいは、バッテリ４０の存在を物理的に検出するセンサを別途設けてもよい。
【００７１】
ステップＳｃ２においてコントローラＣｏ１は、装着されているバッテリ４０に内蔵されたメモリ４６に記憶されているバッテリコードを読み出し、変数ＢＣ１にセットする。ステップＳｃ３においてコントローラＣｏ１は、バッテリ４０が取り外されたか否かを確認する。そしてコントローラＣｏ１は、バッテリ４０が装着されたままであるならばＮｏと判定し、ステップＳｃ４へと進む。
【００７２】
ステップＳｃ４においてコントローラＣｏ１は、バッテリ４０が異常状態であるか否かを確認する。コントローラＣｏ１は具体的には、フラグＦ２がセット状態にあるか否かを確認する。そしてコントローラＣｏ１は、フラグＦ２がセット状態ではないためにＮｏと判定したならば、ステップＳｃ３へと戻る。
かくしてコントローラＣｏ１は、ステップＳｃ３及びステップＳｃ４においては、バッテリ４０が取り外されるか、あるいはバッテリ４０の異常が検出されるのを待ち受ける。そしてコントローラＣｏ１は、バッテリ４０が取り外されたならばステップＳｃ３でＹｅｓと判定し、ステップＳｃ１の待ち受け状態に戻る。つまりコントローラＣｏ１は、異常が検出されていないバッテリ４０の取り外し及びその後のバッテリ４０の取り付けに関しては、何らの処置も行わない。
【００７３】
これに対してコントローラＣｏ１は、前述の第２の制御処理によりバッテリ４０の異常が検出されてフラグＦ２がセットされたならばステップＳｃ４にてＹｅｓと判定し、ステップＳｃ５へと進む。
ステップＳｃ５においてコントローラＣｏ１は、ステップＳｃ４にてＹｅｓと判定した時点から始まる待機期間が終了したか否かを確認する。そしてコントローラＣｏ１は、待機期間が終了していないならばＮｏと判定し、ステップＳｃ６へと進む。
【００７４】
ステップＳｃ６においてコントローラＣｏ１は、バッテリ４０が取り外されたか否かを確認する。そしてコントローラＣｏ１は、バッテリ４０が装着されたままであるならばＮｏと判定し、ステップＳｃ５へと戻る。
かくしてコントローラＣｏ１はステップＳｃ５及びステップＳｃ６においては、待機期間が終了するか、あるいはバッテリ４０が取り外されるのを待ち受ける。そしてコントローラＣｏ１は、待機期間が終了したならばステップＳｃ５でＹｅｓと判定し、ステップＳｃ７へと進む。
【００７５】
ステップＳｃ７においてコントローラＣｏ１は、正常時点灯回路Ｃｉ４の動作を停止させる。かくして上記の待機期間は、バッテリ４０の異常が検出されてから、正常時点灯回路Ｃｉ４からの供給電力によるＬＥＤ３１の発光を停止するまでの期間である。待機期間は、非常用点灯装置１の設計者又は管理者などにより任意に定められてよい。。
ステップＳｃ８においてコントローラＣｏ１は、バッテリ４０が取り外されるのを待ち受ける。なおコントローラＣｏ１は、図４中のステップＳａ２５〜ステップＳａ２９のうちのステップＳａ２５及びステップＳａ２８をそれぞれステップＳｃ８の判定に置き換えたルーチンを、ステップＳｃ８に代えて実行してもよい。
【００７６】
コントローラＣｏ１は、ステップＳｃ５及びステップＳｃ６の待ち受け状態又はステップＳｃ８の待ち受け状態にあるときに、管理者又は保守作業者によりバッテリ４０が本体１０から取り外されると、ステップＳｃ６又はステップＳｃ８にてＹｅｓと判定し、ステップＳｃ９へと進む。
ステップＳｃ９においてコントローラＣｏ１は、バッテリ４０が装着されるのを待ち受ける。そしてコントローラＣｏ１は、バッテリ４０が装着されたたならばＹｅｓと判定し、ステップＳｃ１０へと進む。
【００７７】
ステップＳｃ１０においてコントローラＣｏ１は、装着されているバッテリ４０に内蔵されたメモリ４６に記憶されているバッテリコードを読み出し、変数ＢＣ２にセットする。
ステップＳｃ１１においてコントローラＣｏ１は、変数ＢＣ１と変数ＢＣ２とが一致するか否かを判断する。つまりコントローラＣｏ１は、直前に取り外されたバッテリ４０が再装着されたか否かを確認する。そしてコントローラＣｏ１は、変数ＢＣ１と変数ＢＣ２とが一致するならばＹｅｓと判定し、ステップＳｃ８の待ち受け状態に移行する。つまりコントローラＣｏ１は、改めてのバッテリ４０の取り外し及びバッテリ４０の装着を待つ状態に移行する。
【００７８】
一方コントローラＣｏ１は、バッテリ４０が交換されたことによって変数ＢＣ１と変数ＢＣ２とが異なっているならばステップＳｃ１１にてＮｏと判定し、ステップＳｃ１２へと進む。
ステップＳｃ１２においてコントローラＣｏ１は、バッテリ４０の異常を通報するために行っている全ての警報動作を終了する。具体的には、コントローラＣｏ１は、モニタランプ１５の点灯を停止させる。またコントローラＣｏ１は、正常時点灯回路Ｃｉ４の動作を停止させているならば、その動作を再開させる。コントローラＣｏ１はこの後、ステップＳｃ２に戻り、それ以降の処理を前述と同様に繰り返す。
【００７９】
以上のように第３の制御処理により、第２の制御処理による点検によりバッテリ４０の異常が検出されてもバッテリ４０の交換が行われないまま待機期間が終了した場合には、正常時に限りＬＥＤ３１を消灯する。これにより、非常用点灯装置１が異常な状態であることを、周囲の人に強く印象づけることができる。そして非常時には、規定通りに非常用の点灯がなされるので、非常用点灯装置１としての欠かせない機能は発揮できる。
【００８０】
また第３の制御処理により、異常が検出されているバッテリ４０が、一度取り外されてから再装着された場合には、警報動作を継続する。これにより、上記のような誤った作業が行われて、異常が検出されたバッテリ４０が使い続けられてしまうことを防止できる。
【００８１】
この実施形態は、次のような種々の変形実施が可能である。
前記実施形態に示したコントローラＣｏ１の処理は、その一部を実施しなくてもよい。  光源ユニット３０の２回目の交換がなされた後、正常時点灯回路Ｃｉ４の動作を停止させた状態が予め定められた時間に渡り継続した場合に、非常時電源回路Ｃｉ７の動作も禁止してもよい。このようにすれば、長期間に渡って点検されずに劣化している恐れのあるバッテリ４０、非常時電源回路Ｃｉ７、点灯制御回路Ｃｉ８又は光源ユニット３０を用いた非常時点灯が行われることがない。このように非常時点灯が行われないことがあることにより、保守作業者が点検を怠ることへの抑止力となることが期待できる。
光源ユニット３０の３回目以降の交換においてもリセットスイッチＳｗ２の押下を受け付けるようにしてもよい。なお、何回目の交換までリセットスイッチＳｗ２の押下を受け付けるかは、光源ユニット３０が寿命となるまでの期間の長さ及び電気回路の耐久性などを考慮して、非常用点灯装置１の設計者などにより任意に定められてよい。
光源としては、ＬＥＤ３１とは別の種類の様々な発光デバイスを利用できる。
前記実施形態では、天井直付形の非常誘導灯タイプの非常用点灯装置１を例示している。しかし、例えば壁直付形又は床埋込形などの取り付け形態の異なる非常誘導灯タイプ、あるいは非常用照明器具又は赤色灯などの異なるタイプの非常用点灯装置においても、上記実施形態に示される技術思想を流用可能である。
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下、本願の出願当初の特許請求の範囲に記載された発明を付記する。
［Ｃ１］
避難誘導のための表示板を照明する光源と；
外部電源から電力が供給される正常時に、前記外部電源から供給される電力を用いて前記光源を点灯させる正常時点灯手段と；
前記外部電源から電力が供給されない非常時に、バッテリから供給される電力を用いて前記光源を点灯させる非常時点灯手段と；
前記非常時点灯手段により前記光源を点灯させる上での障害を検出する検出手段と；  前記検出手段により前記障害が検出されたことを報知するために予め定められた発光状態で前記光源を発光させるように前記正常時点灯手段を制御する制御手段と；
を具備したことを特徴とする非常用点灯装置。
［Ｃ２］
前記制御手段は、前記障害が検出されていない場合は前記光源の発光強度の経時変化を抑えるように前記正常時点灯手段を動作させ、前記障害が検出されている場合は前記光源の発光強度の経時変化を生じさせるように前記正常時点灯手段を動作させる；
ことを特徴とする［Ｃ１］に記載の非常用点灯装置。
［Ｃ３］
前記制御手段は、前記障害が検出されていない場合は前記光源の発光強度を予め定められた第１の強度とするように前記正常時点灯手段を動作させ、前記障害が検出されている場合は前記光源を前記第１の強度で点滅させるように前記正常時点灯手段を動作させる；ことを特徴とする［Ｃ２］に記載の非常用点灯装置。
［Ｃ４］
前記制御手段は、前記障害が検出されていない場合は前記光源の発光強度を予め定められた第１の強度とするように前記正常時点灯手段を動作させ、前記障害が検出されている場合は前記光源を前記第１の強度及び前記第１の強度とは異なる第２の強度で交互に点灯させるように前記正常時点灯手段を動作させる；
ことを特徴とする［Ｃ２］に記載の非常用点灯装置。
［Ｃ５］
前記制御手段は、前記障害が検出されていない場合は前記光源の発光強度を予め定められた第１の強度とするように前記正常時点灯手段を動作させ、前記障害が検出されている場合は前記光源を前記第１の強度とは異なる第２の強度とするように前記正常時点灯手段を動作させる；
ことを特徴とする［Ｃ１］に記載の非常用点灯装置。
［Ｃ６］
前記制御手段は、前記予め定められた発光状態で前記光源が発光する状態の継続時間が予め定めた時間以上となった場合に、前記光源の発光状態をさらに変化させるように前記正常時点灯手段を制御する；
ことを特徴とする［Ｃ１］に記載の非常用点灯装置。
【符号の説明】
【００８２】
１…非常用点灯装置、２…外部電源、１０…本体、１１…筐体、１２…回路カバー、１３…端子台、１４…点検スイッチ、１５，１６，１７…モニタランプ、１８…発光素子、１９…受光素子、２０…表示体、２１…カバー体、２２…表示板、２３…照度センサ、３０…光源ユニット、３１…ＬＥＤ、３２…照度センサ、４０…バッテリ、４１…筐体、４２，４３，４４…電極、４５…充電セル、４６…メモリ、Ｃｉ１…整流回路、Ｃｉ２…監視回路、Ｃｉ３…正常時電源回路、Ｃｉ４…正常時点灯回路、Ｃｉ５…フィードバック回路、Ｃｉ６…充電回路、Ｃｉ７…非常時電源回路、Ｃｉ８…点灯制御回路、Ｃｉ９…インタフェース回路、Ｃｉ１０…送受信回路、Ｃｏ１…コントローラ、Ｓｗ２…リセットスイッチ、Ｓｗ３…メンテナンススイッチ、Ｖｍ１…電圧計。
【図１】
0006665583.tif 000002
【図２】
0006665583.tif 000003
【図３】
0006665583.tif 000004
【図４】
0006665583.tif 000005
【図５】
0006665583.tif 000006
【図６】
0006665583.tif 000007
【図７】
0006665583.tif 000008
【図８】
0006665583.tif 000009
【図９】
0006665583.tif 000010
【図１０】
0006665583.tif 000011